(57)【要約】【課題】床下空間と床上空間との連通状態が確保された構成を有する建築物に設置される幅木において、床面上で発生した衝撃音を効果的に分散させることが可能であり、且つ壁材を伝わる音の問題もない幅木を提供すること。【解決手段】幅木１０を、弾性材料又は吸音材料で製作した幅木本体１２と上部付加部材１４と基板１６とで構成し、フローリング３２の縁部と壁材３０とに固定した。幅木本体１２には、フローリング３２と接する下端面から状態面まで貫通する貫通孔１２ａが設けられ、この貫通孔１２ａの上部に取り付けられる上部付加部材１４の貫通孔１２ａと対向する下端面１４ａは、貫通孔１２ａの延在方向に対して略４５度の角度が付されて形成され、床下空間２６の空気が床上空間２７に、低い圧力損失で流出するように構成した。従って、床面上で発生した衝撃音を効果的に分散することが可能である。また、壁材３０を伝わる音の問題もない。【選択図】図１
2008297715.tif 000002
【特許請求の範囲】
【請求項１】
床材の縁部と壁材との間に隙間が形成され、該隙間により前記床材と前記壁材若しくは前記壁材を固定する壁基盤と前記床材下の床基盤とで構成される床下空間と、前記床材上の床上空間と、の連通状態が確保された構成を有する建築物に設置される幅木において、
前記幅木は、下端面から上端面まで貫通して設けられた貫通孔を有する幅木本体と、前記貫通孔の上部開口と対向する下端面を有する上部付加部材と、から構成されることを特徴とする幅木。
【請求項２】
前記幅木本体は、弾性部材で構成されることを特徴とする請求項１に記載の幅木。
【請求項３】
前記幅木本体は、前記床材との間に介在される隙間遮蔽部材を有することを特徴とする請求項１又は２に記載の幅木。
【請求項４】
前記上部付加部材の下端面は、前記壁材から離れるに従って、前記貫通孔の上部開口との距離が長くなるように形成されたことを特徴とする請求項１〜３の何れか１項に記載の幅木。
【請求項５】
前記幅木本体と前記上部付加部材とが固定される基板を有することを特徴とする請求項１〜４の何れか１項に記載の幅木。
【請求項６】
前記幅木本体と前記上部付加部材とは、合成樹脂で製作されたことを特徴とする請求項１〜５の何れか１項に記載の幅木。
【発明の詳細な説明】
【技術分野】
【０００１】
本発明は、幅木、特に、床下空間と床上空間との連通状態が確保された構成を有する建築物に設置される幅木において、床衝撃音を効果的に分散させ、且つ壁材を伝わる音の問題がない幅木に関する。
【背景技術】
【０００２】
マンションや家屋等の室内の床面と壁面との継ぎ目には、装飾のために幅木が用いられる。特許文献１には、安価で見掛けも良く、床板同士の継ぎ目の凹部まで塞ぐことのできる建築用幅木が開示されている。この特許文献１に開示されている幅木は、基板の底面若しくは下端面にクッション材が固着されているので、床面と壁面との継ぎ目はもとより、床板同士の継ぎ目の凹部まで塞ぐことができる。特に、クッション材は基板の表面よりも奥まった位置に固着されているので見掛けに優れる。また、クッション材に撥水剤を塗布又は含浸させれば、水の侵入を防ぐことができ、幅木の裏側に水が侵入して壁パネルや床パネルが腐食するのを防止することができる。
【０００３】
上記の特許文献１の幅木によれば、床面と壁面との継ぎ目のみならず、床板同士の継ぎ目の凹部まで塞ぐことができるので、前述のような優れた効果を発揮する。しかしながら、床材と壁材とが接触した状態で幅木が固定されるため、床面上で発生した音が壁材を伝わって伝搬するという問題を有していた。
【０００４】
図５は、上述の問題を回避すべく考案された床構造を示す。図６は、図５のＡ−Ａ断面図を示す。床基盤４０上に支持脚３６を用いて置床３４が固定され、この置床３４の上にフローリング３２が配設されている。ここでは、フローリング３２と置床３４とで床材３５が構成される例について示しているが、この構成に限定されない。即ち、床材３５が例えば３層構造であっても構わない。
【０００５】
置床３４を固定する支持脚３６は、受け板３６ａとボルト３６ｂとゴム足３６ｃとから構成され、受け板３６ａ上に置床３４が載置される。ゴム足３６ｃは床基盤４０に接触しており、床材３５等の振動を吸収できる構成になっている。なお、床基盤４０から受け板３６ａまでの高さは、ボルト３６ｂによって調整可能に構成されている。また、１つの室内の用いる支持脚３６の数や形状等は、置床３４の面積と床材３５の重量及び床材３５に掛かる荷重等を考慮して適宜決定することができる。
【０００６】
床材３５は、図６に示すように、壁材３０との間に隙間Ｓ１を置いて配設される。壁材３０の壁面とフローリング３２の床面との継ぎ目に用いられる幅木３８は平板状であり、幅木３８の下端面とフローリング３２の床面との間隔が所定の隙間Ｓ２となるように調整されて壁材３０に固定されている。壁材３０とフローリング３２及び置床３４との隙間Ｓ１と、フローリング３２と幅木３８との隙間Ｓ２は略同一である。幅木３８をフローリング３２の床面から隙間Ｓ２を置いて壁材３０に固定する方法は、幅木３８の背面に接着剤を塗布して壁材３０の壁面に貼り付け、接着剤が硬化するまで、幅木３８とフローリング３２との間に適切なスペーサを置き、接着剤が硬化した後に取り除く方法を用いることができる。なお、幅木３８の室内側の面にはオレフィンシート等が貼り付けられ、見た目が良いようになっている。
【０００７】
また、フローリング３２の床面と幅木３８の下端面との間に設けられた隙間Ｓ２に床面上の塵等が詰まらないように、スカート４４が幅木３８の下端面に取り付けられている。このスカート４４は、ゴム製であり幅木３８の底面に設けられた横溝４３に固定されるように挿入部４５を有する。また、スカート４４は横溝４３に挿入された場合、その先端部がフローリング３２の床面に対して付勢されるように構成されている。従って、フローリング３２の床面と幅木３８の下端面との隙間Ｓ２に多少の変化があっても、スカート４４の先端部がフローリング３２に接触するように構成されている。
【０００８】
従って、上記構成によれば、壁材３０と床材３５は、隙間Ｓ１を有して離れているので、床材３５の音が壁材３０に伝達されるのを防ぐことができることとなる。
【０００９】
一方、特許文献２には、床下空間と床上空間の間を連通する連通路が設けられた幅木が開示されている。図７は、その特許文献２に示されている幅木４６の斜視図である。幅木４６の壁材に接触する側に連通路４６ａが、幅木４６の高さ方向に千鳥模様に形成されている。従って、幅木４６の下部からこの通路に流入した空気は矢印１０１で示したように、通路の途中で分流され、再び合流されて幅木４６の上部から流出する。このようにして、床下空間と床上空間とを連通する空気連通手段が形成されている。更に、特許文献２には、上記の幅木４６の底部に横溝を形成し、この横溝に振動伝搬防止手段を挿設した構成も開示されている。
【００１０】
【特許文献１】特開平８−１０９７３７号公報
【特許文献２】特開２００４−３６１９６号公報
【発明の開示】
【発明が解決しようとする課題】
【００１１】
従来技術で示したような、壁材３０と床材３５、即ちフローリング３２及び置床３４との間に隙間Ｓ１を形成し、且つフローリング３２と幅木３８との間に隙間Ｓ２を形成し、幅木３８の底面にスカート４４を設ける構成では、上記の隙間Ｓ２がスカート４４で塞がれており空気が流れない、又は圧力損失が大きい構成となっている。
【００１２】
隙間Ｓ２がスカート４４で塞がれて空気が流れないと、床材３５と、その下にある床基盤４０と、壁材を３０取り付ける壁基盤４１とで構成される空間、即ち床下空間が密閉状態となり、床面上で発生した衝撃音がその床下空間内で共振して、いわゆる太鼓現象と呼ばれる現象が発生し、発生した衝撃音が増幅して伝搬するという問題が生じていた。
【００１３】
次ぎに、圧力損失が大きいと、衝撃音が効率的に分散されないという問題が生じていた。前述のように、フローリング３２上で発生した衝撃音は圧縮空気を生成する。この圧縮空気は、上記の隙間Ｓ１とＳ２を通って室内に拡散しようとするが、前述のように隙間Ｓ２がスカート４４で塞がれており圧力損失が大きい構成となっている。従って、発生した衝撃音が壁材３０、フローリング３２及び置床３４等に吸収されて固体伝搬音の音源となるため、結果として衝撃音は効果的に拡散されないこととなる。
【００１４】
また、特許文献２に開示されている連通路が設けられた幅木４６を用いた場合においても、連通路が幅木４６の背面部に千鳥模様に形成されているため、圧縮空気が床上空間へ流れるまでの圧力損失が大きく、結果として衝撃音は効果的に分散させることができなかった。加えて、幅木の上部から落ちてくる塵等が連通路に詰まる恐れもあった。
【００１５】
本発明は、上記課題に鑑みてなされたものであり、その目的は、床下空間と床上空間との連通状態が確保された構成を有する建築物に設置される幅木において、床面上で発生した衝撃音を効果的に分散させることが可能であり、且つ壁材を伝わる音の問題もない幅木を提供することにある。
【課題を解決するための手段】
【００１６】
上記目的を達成するため、請求項１に記載の幅木は、床材の縁部と壁材との間に隙間が形成され、該隙間により前記床材と前記壁材若しくは前記壁材を固定する壁基盤と前記床材下の床基盤とで構成される床下空間と、前記床材上の床上空間と、の連通状態が確保された構成を有する建築物に設置される幅木において、前記幅木は、下端面から上端面まで貫通して設けられた貫通孔を有する幅木本体と、前記貫通孔の上部開口と対向する下端面を有する上部付加部材と、から構成されることを特徴とする。
【００１７】
この構成を採用することにより、床下空間は、幅木本体に形成した貫通孔を介して床上空間と連通しているので、床面上で発生した衝撃音を分散させることが可能である。更に、貫通孔の上部には上部付加部材が取り付けられるので、上部から落ちた塵等が貫通孔に詰まる心配がない。
【００１８】
請求項２に記載の幅木は、前記幅木本体は、弾性部材で構成されることを特徴とする。従って、幅木本体を床材の縁部に接触して壁材に固定したとしても、床面上で発生した音が壁材に伝達する心配がない。
【００１９】
請求項３に記載の幅木は、前記幅木本体は、前記床材との間に介在される隙間遮蔽部材を有することを特徴とする。従って、幅木本体と床材との隙間には隙間遮蔽部材が取り付けられるので、この隙間に塵等が詰まる心配はない。
【００２０】
請求項４に記載の幅木は、前記上部付加部材の下端面は、前記壁材から離れるに従って、前記貫通孔の上部開口との距離が長くなるように形成されたことを特徴とする。従って、幅木本体に形成された貫通孔を介して流出する空気は、上部付加部材の下端面に当たって壁材から離れる方向へと導かれるので、空気の流れの圧力損失を減じることが可能となり、また壁材への伝達を防止し、床面上で発生した衝撃音をより効果的に分散することが可能である。
【００２１】
請求項５に記載の幅木は、前記幅木本体と前記上部付加部材とが固定される基板を有することを特徴とする。従って、幅木の設置は、幅木本体と上部付加部材とが固定された基板を壁面に取り付ければ良いので、幅木の取り付け作業を簡単に行うことが可能である。また、幅木全体が基板により補強される効果も発揮する。
【００２２】
請求項６に記載の幅木は、前記幅木本体と前記上部付加部材とは、合成樹脂で製作されたことを特徴とする。従って、幅木の加工が容易であり、安価に製作することができ、また防食性に富むこととなる。
【発明の効果】
【００２３】
本発明の幅木によると、床下空間と床上空間との連通状態が確保された構成を有する建築物に設置される幅木において、幅木を幅木本体と上部付加部材とにより構成し、幅木本体には貫通孔を形成したので、床下空間と床上空間とは連通した状態が保たれ、床面上で発生した衝撃音を分散させることが可能である。
【発明を実施するための最良の形態】
【００２４】
本発明の実施の形態を、以下図面を参照しながら詳述する。なお、本発明は以下に説明する実施の形態に限定されるものではない。
【００２５】
（第１の実施の形態）
図１は、本発明の幅木の第１の実施の形態に係り、基板に固定された幅木本体と上部付加部材の斜視図である。但し、幅木１０は所定の横幅についてのみ示している。図２（ａ）は、図１の正面図、同図（ｂ）は、図１の側面図である。なお、本発明の幅木１０が取り付けられる床構造は、従来技術で説明した図５と同じ構造を想定している。
【００２６】
本発明の幅木１０は、幅木本体１２と上部付加部材１４と基板１６とから構成される。幅木本体１２は、所定の高さと厚さとを有し、複数の貫通孔１２ａが、フローリング３２と接する下端面１２ｃからその上端面１２ｂまで貫通して設けられている。貫通孔１２ａの断面形状は、装飾性を考慮して矩形状とした。貫通孔１２ａは、床下空間２６の空気を流出するために、所定の間隔を置いて形成されているが、この貫通孔１２ａの幅木１０の所定長さ当たりの数は、床下空間の容積等を考慮して適宜決めることができる。
【００２７】
上部付加部材１４は、幅木本体１２の貫通孔１２ａの上部開口に設置される。ここで、上部付加部材１４の下端面１４ａは、幅木本体１２と上部付加部材１４とを基板１６に取り付け、幅木１０を壁材３０に取り付けたとき、壁材３０から離れるに従って、貫通孔１２ａの上部開口との距離が長くなるように形成されている。本実施例では、図２（ｂ）に示すように、貫通孔１２ａの延在方向に対して略４５度の角度を付されて形成されている。この下端面１４ａにより、貫通孔１２ａを通って流出した空気は、下端面１４ａが略４５度に傾斜した面を構成しているので、床上空間２７において壁材３０から離れる方向に導かれることとなる。
【００２８】
幅木本体１２の上部に上部付加部材１４が設置されて幅木１０の所定の高さが実現されるので、仮に図６の従来技術で示した幅木３８に同様な貫通孔を設けた場合に比較して、貫通孔の長さが短いため、空気の圧力損失を減らすことが可能である。更に、貫通孔１２ａの上部開口には略４５度に傾斜した下端面１４ａが対向して、空気を床上空間２７において壁材３０から離れる方向に導くので、圧力損失を更に減らし、また空気の振動である音が壁材３０に伝わるのを防ぐことができる。
【００２９】
幅木本体１２と上部付加部材１４は、基板１６に貼り付けられて一体化されている。基板１６は、所定の厚さを有し、高さは通常の幅木の高さと同一であり、また横幅は幅木本体１２及び上部付加部材１４と同一である。このように、予め幅木本体１２と上部付加部材１４とを基板１６に固定して、一体化しておくことで、幅木１０の設置作業を簡単に行うことが可能である。即ち、基板１６を壁面に貼り付け、次に基板１６に幅木本体１２と上部付加部材１４を貼り付ける作業を省略し、１回で行うことができる。また、基板１６があることで幅木の強度を高めている。なお、基板１６を用いることなく幅木１０を構成することも可能である。
【００３０】
幅木本体１２は、弾性材料、例えばゴムにより構成されており、上部付加部材１４は、合成樹脂で製作されている。この幅木本体１２と上部付加部材１４の上部空間２７側表面には、オレフィン系シートが貼付されており、装飾性と防食性が考慮されている。なお、オレフィン系シートに限らず、その他の適切なシートを貼付しても構わない。
【００３１】
図３は、本発明の第１の実施の形態に係り、幅木１０の取り付け例を示す室内の概略断面図である。従来技術で示した図５のＡ−Ａ断面図に相当する。床構造は、前述のように、床基盤４０に置床３４が支持脚３６を用いて固定されており、置床３４の上にフローリング３２が配設されている。壁基盤４１に壁材３０が固定されており、壁材３０と床材３５、即ちフローリング３２及び置床３４との間には隙間Ｓ１が形成されている。
【００３２】
幅木本体１２の下端面１２ｃは、フローリング３２の縁部に接触して、壁材３０に固定されている。即ち、隙間Ｓ１と、幅木本体１２の厚さとを比較すると、幅木本体１２の厚さが大となるように設計されているため、幅木本体１２の下端面１２ｃの一部分がフローリング３２の縁部に接触して固定されることとなる。この場合、隙間Ｓ１は完全に幅木本体１２によって覆われ床上空間２７からは見えない。そして、幅木本体１２の貫通孔１２ａが隙間Ｓ１の上に位置するようになるため、置床３４下の床下空間２６の空気を効果的に床上空間２７に流出させることが可能である。更に、幅木本体１２とフローリング３２との間には隙間がないため、幅木本体１２とフローリング３２との間に塵等が詰まる心配はなく、見た目にも良いものとなっている。
【００３３】
更に、幅木本体１２の貫通孔１２ａの上部開口には、上部付加部材１４が取り付けられており、複数の貫通孔１２ａと対向する上部付加部材１４の下端面１４ａは、貫通孔１２ａの延在方向に対する傾斜角度が略４５度となっているので、床下空間２６から流れる圧縮空気は、フローリング３２上の床上空間２７に、低い圧力損失で流出されることとなる。即ち、床基盤床４０と壁材３０若しくは壁基盤４１と置床３４で形成される床下空間２６の空気は、幅木本体１２の貫通孔１２ａを介して流出するが、流出した空気は上部付加部材１４の下端面１４ａにより床上空間２７内の壁材３０から離れた方向に効果的に導かれることとなる（この空気の流れを図３内では矢印１０２で示した）。それ故、フローリング３２上で発生した衝撃音は、効果的に分散されることとなる。
【００３４】
また、フローリング３２と壁材３０は幅木本体１２によって繋がっているが、幅木本体１２の材質は、振動を伝搬させないもの、振動を吸収するもの、例えばゴムによって製作されているので、フローリング３２上で発生した振動は幅木１０を介して壁材３０には伝わらない。よって、壁材３０を伝わって音が伝搬する問題も発生しないこととなる。また、上部付加部材１４があることで、上方から落下してきた塵等が貫通孔１２ａに詰まることがない。なお、幅木本体１２を硬質の材料で製作した場合には、フローリング３２から浮かして固定することで壁を伝わる音の問題を防ぐことが可能である。この場合においても、いわゆる太鼓現象が発生することもない。
【００３５】
（第２の実施の形態）
図４は、本発明の第２の実施の形態に係り、幅木１０の取り付け例を示す室内の概略断面図である。図３に示す第１の実施の形態と異なる点は、幅木１０は、フローリング３２から隙間Ｓ２を置いて壁材３０に取り付けられ、幅木本体１２の底面に横溝１２ｄを設けて隙間遮蔽部材であるスカート４４を挿入した点にある。このスカート４４は、従来技術の図６で示したものと同一の構成を有する。なお、スカート４４の幅木本体１２への取り付けは、貫通孔１２ａをなるべく塞がないように、幅木本体１２の床上空間２７側に横溝１２ｄを設けて取り付けてある。
【００３６】
このように構成することで、フローリング３２と幅木本体１２とは離れているのでフローリング３２で発生した振動は壁材３０に伝わることがなく、壁材３０を伝わる音の問題は発生しない。また、スカート４４によって幅木本体１２に形成した貫通孔１２ａの一部分が塞がれるが、床下空間２６の空気は貫通孔１２ａを通って床上空間２７に流出するので、ローリング３２に上で発生した衝撃音は、第１の実施の形態と同様に効果的に分散されることとなる。更に、スカート４４があることにより、幅木本体１２とフローリング３２との隙間に塵等がつまる心配がない。
【００３７】
なお、本発明は、上述の実施の形態に限定されるものではなく、本発明の趣旨を逸脱しない範囲で種々の変更が可能である。例えば、床材を置床とフローリングとで構成したが、これに限定されない。また、貫通孔の断面形状は矩形状のものを示したが円形であっても良く、その数は床下空間の容積、装飾性等を考慮して適宜決めることができる。更に、幅木本体及び上部付加部材の室内側表面には彫刻等の装飾が施されていても良い。
【００３８】
加えて、上部付加部材の下端面は、幅木の貫通孔の延在方向に対する傾斜角度を略４５度としたが、それより少ない傾斜角度であっても良い。更に、上部付加部材の下端面の横断面形状を曲線とすることも可能である。
【図面の簡単な説明】
【００３９】
【図１】本発明の幅木に係り、基板に固定された幅木本体と上部付加部材の斜視図である。
【図２】図１の基板に固定された幅木本体と上部付加部材の正面図（ａ）と側面図（ｂ）である。
【図３】本発明の幅木の第１の実施の形態に係り、取り付け例を示す建築物の概略断面図である。
【図４】本発明の幅木の第２の実施の形態に係り、取り付け例を示す建築物の概略断面図である。
【図５】従来の幅木の取り付け例を示す建築物の斜視図である。
【図６】図５のＡ−Ａ断面図である。
【図７】特許文献２に示されている幅木の斜視図である。
【符号の説明】
【００４０】
１０  幅木
１２  幅木本体
１２ａ  貫通孔
１４  上部付加部材
１４ａ  下端面
１６  基板
２６  床下空間
２７  床上空間
３０  壁材
３２  フローリング
３４  置床
３６  支持脚
【図１】
2008297715.tif 000003
【図２】
2008297715.tif 000004
【図３】
2008297715.tif 000005
【図４】
2008297715.tif 000006
【図５】
2008297715.tif 000007
【図６】
2008297715.tif 000008
【図７】
2008297715.tif 000009